(57)【特許請求の範囲】
【請求項１】
強化された新規キャリアタイプ（ｅＮＣＴ）のセルのためのワイヤレス通信の方法であって、
休止状態にいる間、低デューティサイクルでダウンリンク共通信号およびチャネルを基地局から送信することと、低デューティサイクルでアップリンク検出信号およびチャネルを受信すること、前記ダウンリンク共通信号およびチャネルを送信した後、前記基地局が前記ダウンリンク共通信号およびチャネルを送信するために指定された時間を超えて起きたままであるように、アップリンク検出信号およびチャネルの送信のタイミングおよび周期性は、前記ダウンリンク共通信号およびチャネルの送信にスレーブ状態にある、と、
アクティブ状態にいる間、高デューティサイクルでダウンリンク共通信号およびチャネルを前記基地局から送信することと
を備える、方法。
【請求項２】
前記低デューティサイクルで送信される前記共通信号およびチャネルは、同期信号、物理ブロードキャストチャネル（ＰＢＣＨ）、共通基準信号（ＣＲＳ）、セル検出信号（ＣＤＳ）、またはこれらの組み合わせのうちの１つまたは複数のものを備える、
請求項１に記載の方法。
【請求項３】
少なくとも１つのセル検出信号は、固有セルＩＤ、アクセスパラメータ、またはこれらの組み合わせのうちの１つまたは複数のものを備える、
請求項２に記載の方法。
【請求項４】
前記高デューティサイクルで送信される前記共通信号およびチャネルは、同期信号、物理ブロードキャストチャネル（ＰＢＣＨ）、共通基準信号（ＣＲＳ）、システム情報ブロック（ＳＩＢ）、データチャネル、またはこれらの組み合わせのうちの１つまたは複数のものを備える、
請求項１に記載の方法。
【請求項５】
前記ＳＩＢは、共通信号／チャネル周期性、共通信号／チャネル帯域幅、送信アンテナパラメータ、またはこれらの組み合わせのうちの１つまたは複数のものを備える、
請求項４に記載の方法。
【請求項６】
トリガを受信することと、
前記受信したトリガに少なくとも部分的に基づいてアクティブ状態と休止状態との間でセルを切り替えることと
をさらに備える、請求項１に記載の方法。
【請求項７】
前記トリガは、ユーザ機器検出信号（ＵＤＳ）であり、前記ＵＤＳは、サウンディング基準信号（ＳＲＳ）または物理ランダムアクセスチャネル（ＰＲＡＣＨ）信号を備える、
請求項６に記載の方法。
【請求項８】
前記ＰＲＡＣＨ信号は、物理ダウンリンク制御チャネル（ＰＤＣＣＨ）メッセージに応じて送信される、
請求項７に記載の方法。
【請求項９】
前記ＵＥ検出信号は、ランダムに選択されるリソースブロックロケーションで物理アップリンク共有チャネル（ＰＵＳＣＨ）にマッピングされる、
請求項８に記載の方法。
【請求項１０】
前記トリガは、サービングセルによって送信されたハンドオーバメッセージである、
請求項６の方法。
【請求項１１】
受信した物理ランダムアクセスチャネル（ＰＲＡＣＨ）信号に少なくとも部分的に基づいて新規キャリアタイプのモードとレガシキャリアタイプのモードとの間で切り替えることをさらに備える、
請求項６に記載の方法。
【請求項１２】
物理ランダムアクセスチャネル（ＰＲＡＣＨ）信号を受信することと
前記受信したＰＲＡＣＨ信号に少なくとも部分的に基づいて新規キャリアタイプのモードとレガシキャリアタイプのモードとの間で切り替えることと
をさらに備える、請求項１に記載の方法。
【請求項１３】
強化された新規キャリアタイプ（ｅＮＣＴ）のセルのためのワイヤレス通信のための装置であって、
休止状態にいる間、低デューティサイクルでダウンリンク共通信号およびチャネルを基地局から送信するための手段と、低デューティサイクルでアップリンク検出信号およびチャネルを受信するための手段、前記ダウンリンク共通信号およびチャネルを送信した後、前記基地局が前記ダウンリンク共通信号およびチャネルを送信するために指定された時間を超えて起きたままであるように、アップリンク検出信号およびチャネルの送信のタイミングおよび周期性は、前記ダウンリンク共通信号およびチャネルの送信にスレーブ状態にある、と、
アクティブ状態にいる間、高デューティサイクルでダウンリンク共通信号およびチャネルを前記基地局から送信するための手段と
を備える、装置。
【請求項１４】
トリガを受信するための手段と、
前記受信したトリガに少なくとも部分的に基づいてアクティブ状態と休止状態との間でセルを切り替えるための手段と
をさらに備える、請求項１３に記載の装置。
【請求項１５】
ワイヤレス通信のためのコンピュータプログラムであって、プログラムコードを備え、前記プログラムコードは、コンピュータで実行されたとき、請求項１乃至１２のいずれか１項に記載の方法を実行するための命令を備える、ワイヤレス通信のためのコンピュータプログラム。
【発明の詳細な説明】
【関連出願】
【０００１】
関連出願の相互参照  
[0001]本出願は、その開示全体が参照により本明細書に明確に組み込まれる、２０１２年８月３日に出願された「COMMUNICATING WITH AN ENHANCED NEW CARRIER TYPE」と題する米国仮特許出願第６１／６７９，６１８号の米国特許法第１１９条（ｅ）項に基づく利益を主張する。
【技術分野】
【０００２】
[0002]本開示の態様は、概して、ワイヤレス通信システムに関し、より具体的には、強化された新規キャリアタイプのための様々な設計要素に関する。
【背景技術】
【０００３】
[0003]ワイヤレス通信システムは、電話通信、ビデオ、データ、メッセージング、およびブロードキャストのような様々な電気通信サービスを提供するために幅広く展開される。典型的なワイヤレス通信システムは、利用可能なシステムリソース（例えば、帯域幅、送信電力）を共有することにより、複数のユーザとの通信をサポートすることが可能な多元接続技術を用いうる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]これらの多元接続技術は、異なるワイヤレスデバイスが都市、国家、地域、およびグローバルレベルでさえも通信することを可能にする共通プロトコルを提供するために、様々な電気通信規格において採用されてきた。台頭してきた電気通信規格の例は、ロングタームエボリューション（ＬＴＥ）である。ＬＴＥは、第３世代パートナーシッププロジェクト（３ＧＰＰ）によって発表されたユニバーサルモバイルテレコミュニケーションシステム（ＵＭＴＳ）のモバイル規格を向上させたもののセットである。それは、スペクトル効率を改善すること、コストを下げること、サービスを向上させること、新たなスペクトラムを利用すること、および、下りリンク（ＤＬ）にＯＦＤＭＡを、上りリンク（ＵＬ）にＳＣ−ＦＤＭＡを使用し、多入力多出力（ＭＩＭＯ）アンテナ技術を使用して、より適切に他のオープン規格に組み込むことによって、モバイルブロードバンドインターネット接続より快適にサポートするように設計されている。しかしながら、モバイルブロードバンド接続への需要が増加し続けるにつれ、ＬＴＥ技術における更なる改良への必要性が存在する。望ましくは、これらの改良は、これらの技術を用いる電気通信規格および他の多元接続技術に適用可能であるべきである。
【０００５】
[0005]これは、以下の詳細な説明がより良く理解されうるように、本開示の特徴および技術的利点をどちらかといえば幅広く概説している。本開示のさらなる特徴および利点が以下に説明される。この開示が、本開示と同じ目的を実行するための他の構造を改良または設計するための基礎として容易に利用されうることは、当業者によって理解されるべきである。また、そのような等価の構成が、添付された特許請求の範囲に記載の本開示の教示から逸脱しないことも、当業者によって認識されるべきである。さらなる目的および利点とともに、本開示の構成および動作の方法についての両方の、本開示の特徴であると考えられる新規な特徴は、添付図面と関連して考慮されるとき、以下の説明からより良く理解されるであろう。しかしながら、各々の図は、例示および説明のみの目的で提供され、本開示の限定の定義として意図されるものではないことが、明確に理解されるべきである。
【発明の概要】
【０００６】
[0006]本開示の１つの態様では、ワイヤレス通信の方法が開示される。方法は、休止状態にいる間に低デューティサイクルでダウンリンク共通信号およびチャネルを送信することを含む。方法はさらに、アクティブ状態にいる間に高デューティサイクルでダウンリンク共通信号およびチャネルを送信することを含む。
【０００７】
[0007]本開示の別の態様は、休止状態にいる間に低デューティサイクルでダウンリンク共通信号およびチャネルを送信するための手段を含む装置に向けられる。装置はさらに、アクティブ状態にいる間に高デューティサイクルでダウンリンク共通信号およびチャネルを送信するための手段を含む。
【０００８】
[0008]別の態様では、非一時的なコンピュータ可読媒体を有する、ワイヤレスネットワーク中のワイヤレス通信のためのコンピュータプログラム製品を開示する。コンピュータ可読媒体は、プロセッサによって実行されたとき、プロセッサに、休止状態にいる間に低デューティサイクルでダウンリンク共通信号およびチャネルを送信する動作を実行させる、その上に記憶された非一時的プログラムコードを有する。プログラムコードはさらに、プロセッサに、アクティブ状態にいる間に高デューティサイクルでダウンリンク共通信号およびチャネルを送信させる。
【０００９】
[0009]別の態様は、メモリと、メモリに結合された少なくとも１つのプロセッサを有するワイヤレス通信を開示する。プロセッサは、休止状態にいる間に低デューティサイクルでダウンリンク共通信号およびチャネルを送信するように構成される。プロセッサはさらに、アクティブ状態にいる間に高デューティサイクルでダウンリンク共通信号およびチャネルを送信するように構成される。
【００１０】
[0010]本開示の１つの態様では、ワイヤレス通信の方法が提示される。方法は、トリガを受信することを含む。方法はさらに、受信したトリガに基づいて、アクティブ状態と休止状態との間でセルを切り替えることを含む。
【００１１】
[0011]本開示の別の態様では、トリガを受信するための手段を含む装置に向けられる。装置はさらに、受信したトリガに基づいて、アクティブ状態と休止状態との間でセルを切り替えるための手段を含む。
【００１２】
[0012]別の態様では、非一時的なコンピュータ可読媒体を有する、ワイヤレスネットワーク中のワイヤレス通信のためのコンピュータプログラム製品が開示される。コンピュータ可読媒体は、プロセッサによって実行されたとき、プロセッサに、トリガを受信する動作を実行させる、その上に記憶された非一時的プログラムコードを有する。プログラムコードはさらに、プロセッサに、受信したトリガに基づいてアクティブ状態と休止状態との間でセルを切り替えさせる。
【００１３】
[0013]別の態様は、メモリと、メモリに結合された少なくとも１つのプロセッサを有するワイヤレス通信を開示する。プロセッサは、トリガを受信するように構成される。プロセッサは、受信したトリガに基づいてアクティブ状態と休止状態との間でセルを切り替えるようにさらに構成される。
【００１４】
[0014]本開示の１つの態様では、ワイヤレス通信の方法が提示される。方法は、システム情報を取得するために、レガシキャリアタイプのセルに接続することを含む。方法はさらに、取得したシステム情報に基づいて休止状態の強化された新規キャリアタイプのセルへ遷移することを含む。
【００１５】
[0015]本開示の別の態様は、システム情報を取得するために、レガシキャリアタイプのセルに接続するための手段を含む装置に向けられる。装置はさらに、取得したシステム情報に基づいて休止状態の強化された新規キャリアタイプのセルに遷移するための手段を含む。
【００１６】
[0016]別の態様では、非一時的なコンピュータ可読媒体を有する、ワイヤレスネットワーク中のワイヤレス通信のためのコンピュータプログラム製品が開示される。プロセッサによって実行されたとき、プロセッサに、システム情報を取得するために、レガシキャリアタイプのセルに接続する動作を実行させる、その上に記憶された非一時的プログラムコードを有する。プログラムコードはさらに、プロセッサに、取得したシステム情報に基づいて休止状態の強化された新規キャリアタイプのセルに遷移させる。
【００１７】
[0017]別の態様は、メモリと、メモリに結合された少なくとも１つのプロセッサを有するワイヤレス通信を開示する。プロセッサは、システム情報を取得するために、レガシキャリアタイプのセルに接続するように構成される。プロセッサは、取得したシステム情報に基づいて休止状態の強化された新規キャリアタイプのセルに遷移するようにさらに構成される。
【００１８】
[0018]本開示の１つの態様では、ワイヤレス通信の方法が提示される。方法は、オフ状態からアイドル状態に遷移することを含む。方法はさらに、レガシキャリアタイプに最初に所属せずに、アクティブな強化された新規キャリアタイプに接続することを含む。
【００１９】
[0019]本開示の別の態様は、オフ状態からアイドル状態に遷移するための手段を含む装置に向けられる。装置はさらに、レガシキャリアタイプに最初に所属せずに、アクティブな強化された新規キャリアタイプに接続するための手段を含む。
【００２０】
[0020]別の態様では、非一時的なコンピュータ可読媒体を有する、ワイヤレスネットワーク中のワイヤレス通信のためのコンピュータプログラム製品が開示される。コンピュータ可読媒体は、プロセッサによって実行されたとき、プロセッサに、オフ状態からアイドル状態に遷移する動作を実行させる、その上に記憶された非一時的プログラムコードを有する。プログラムコードはさらに、プロセッサに、レガシキャリアタイプに最初に所属せずに、アクティブな強化された新規キャリアタイプに接続させる。
【００２１】
[0021]別の態様は、メモリと、メモリに結合された少なくとも１つのプロセッサを有するワイヤレス通信を開示する。プロセッサは、オフ状態からアイドル状態に遷移するように構成される。プロセッサは、レガシキャリアタイプに最初に所属せずに、アクティブな強化された新規キャリアタイプに接続するようにさらに構成される。
【００２２】
[0022]本開示の１つの態様では、ワイヤレス通信の方法が提示される。方法は、物理ランダムアクセスチャネル信号を受信することを含む。方法はさらに、受信した物理ランダムアクセスチャネル信号に基づいて、新規キャリアタイプのモードとレガシキャリアタイプのモードとの間で切り替えることを含む。
【００２３】
[0023]本開示の別の態様は、物理ランダムアクセスチャネル信号を受信するための手段を含む装置に向けられる。装置はさらに、受信した物理ランダムアクセスチャネル信号に基づいて、新規キャリアタイプのモードとレガシキャリアタイプのモードとの間で切り替えるための手段を含む。
【００２４】
[0024]別の態様では、非一時的コンピュータ可読媒体を有するワイヤレスネットワーク中のワイヤレス通信のためのコンピュータプログラム製品が開示される。コンピュータ可読媒体は、プロセッサによって実行されたとき、プロセッサに、物理ランダムアクセスチャネル信号を受信する動作を実行させる、その上に記憶された非一時的プログラムコードを有する。プログラムコードはさらに、プロセッサに、受信した物理ランダムアクセスチャネル信号に基づいて、新規キャリアタイプのモードとレガシキャリアタイプのモードとの間で切り替えさせる。
【００２５】
[0025]別の態様は、メモリと、メモリに結合された少なくとも１つのプロセッサを有するワイヤレス通信を開示する。プロセッサは、物理ランダムアクセスチャネル信号を受信するように構成される。プロセッサは、受信した物理ランダムアクセスチャネル信号に基づいて、新規キャリアタイプのモードとレガシキャリアタイプのモードとの間で切り替えるようにさらに構成される。
【００２６】
[0026]本開示のさらなる特徴および利点が以下に説明される。この開示が、本開示と同じ目的を実行するための他の構造を改良または設計するための基礎として容易に利用されうることは、当業者によって理解されるべきである。また、そのような等価の構成が、添付された特許請求の範囲に記載の本開示の教示から逸脱しないことも、当業者によって認識されるべきである。さらなる目的および利点とともに、本開示の構成および動作の方法の両方について、本開示の特徴であると考えられる新規な特徴は、添付図面と関連して考慮されるとき、以下の説明からより良く理解されるであろう。しかしながら、各々の図は、例示および説明のみの目的で提供され、本開示の限定の定義として意図されるものではないことが、明確に理解されるべきである。
【図面の簡単な説明】
【００２７】
[0027]本開示の特徴、性質、および利点は、同様の参照文字が全体を通して相応して識別する図面を考慮した場合、以下に示される詳細な説明から、より明白になるであろう。
【図１】ネットワークアーキテクチャの例を示す図である。
【図２】アクセスネットワークの例を示す図である。
【図３】ＬＴＥ内におけるダウンリンクフレーム構造の例を示す図である。
【図４】ＬＴＥ内におけるアップリンクフレーム構造の例を示す図である。
【図５】ユーザおよび制御プレーンのための無線プロトコルアーキテクチャの例を示す図である。
【図６】アクセスネットワーク内におけるユーザ機器および発展型ノードＢの例を示す図である。
【図７】様々なキャリアタイプのセルを持つネットワークを示す図である。
【図８Ａ】強化された新規キャリアタイプ（ｅＮＣＴ）またはレガシキャリアタイプ（ＬＣＴ）のセルのための様々な状態を示す状態図である。
【図８Ｂ】強化された新規キャリアタイプ（ｅＮＣＴ）またはレガシキャリアタイプ（ＬＣＴ）のセルのための様々な状態を示す状態図である。
【図９】例示の装置における異なるモジュール／手段／コンポーネントを示すブロック図である。
【図１０】本開示の態様に従うワイヤレス通信のための異なる方法を示すブロック図である。
【図１１】例示の装置における異なるモジュール／手段／コンポーネントを示すブロック図である。
【図１２】本開示の態様に従うワイヤレス通信のための異なる方法を示すブロック図である。
【図１３】例示の装置における異なるモジュール／手段／コンポーネントを示すブロック図である。
【図１４】本開示の態様に従うワイヤレス通信のための異なる方法を示すブロック図である。
【図１５】例示の装置における異なるモジュール／手段／コンポーネントを示すブロック図である。
【図１６】本開示の態様に従うワイヤレス通信のための異なる方法を示すブロック図である。
【図１７】例示の装置における異なるモジュール／手段／コンポーネントを示すブロック図である。
【図１８】本開示の態様に従うワイヤレス通信のための異なる方法を示すブロック図である。
【発明を実施するための形態】
【００２８】
[0038]添付の図面に関して以下に述べられる詳細な説明は、様々な構成の説明を意図するものであり、本明細書において説明される概念が実現され得る、唯一の構成を表すことを意図したものではない。詳細な説明は、様々な概念の徹底した理解を提供することを目的とする特定の詳細を含む。しかしながら、これらの概念がこれらの具体的な詳細なしに実現されうることは当業者には明らかになるだろう。いくつかの例では、既知の構造およびデバイスは、このような概念を不明瞭にしないようにブロック図で示される。
【００２９】
[0039]電気通信システムの態様が、様々な装置および方法を参照して示される。これらの装置および方法は、以下の詳細な説明において説明され、付随する図面内において、様々なブロック、モジュール、コンポーネント、回路、ステップ、処理、アルゴリズム等（集合的には「要素」と称される）により図示されている。これらの要素は、電子ハードウェア、コンピュータソフトウェア、またはそれらのあらゆる組み合わせを使用して実装されうる。そのような要素がハードウェアとして実装されるかソフトウェアとして実装されるかは、システム全体に課された設計の制約および特定のアプリケーションに依存する。
【００３０】
[0040]例として、要素、または要素の任意の一部、またはエレメントの任意の組み合わせが、１つまたは複数のプロセッサを含む「処理システム」を用いて実装されうる。プロセッサの例は、マイクロプロセッサ、マイクロ制御器、デジタル信号プロセッサ（DSP）、フィールドプログラマブルゲートアレイ（FPGA）、プログラマブル論理デバイス（PLD）、ステートマシン、ゲート論理、ディスクリートハードウェア回路、およびこの開示全体を通して説明される様々な機能を実行するように構成された他の適切なハードウェアを含む。処理システムにおける１つまたは複数のプロセッサは、ソフトウェアを実行することができる。ソフトウェアは、ソフトウェア、ファームウェア、ミドルウェア、マイクロコード、ハードウェア記述言語と称される場合も、それ以外の名称で称される場合も、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味するものと広く解釈されるだろう。
【００３１】
[0041]したがって、１つまたは複数の例示的な実施形態では、説明する機能は、ハードウェア、ソフトウェア、ファームウェア、またはそれらの任意の組合せで実装され得る。ソフトウェア中に実装される場合、これらの機能は、非一時的なコンピュータ可読媒体上に、１つまたは複数の命令またはコードとして記憶されるか、あるいは１つまたは複数の命令またはコードとして符号化されうる。コンピュータ可読媒体は、コンピュータ記憶媒体を含む。記憶媒体は、コンピュータによってアクセスすることができる任意の利用可能な媒体でありうる。限定ではなく例として、そのようなコンピュータ可読媒体は、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または、命令またはデータ構造の形態で所望のプログラムコードを搬送または記憶するために使用されることができ、およびコンピュータによってアクセスすることができる、任意の他の媒体を含むことができる。ディスク（disk）およびディスク（disc）は、ここで使用される場合、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）、およびブルーレイ（登録商標）ディスク（disc）を含み、ディスク（disk）は通常、データを磁気的に再生するが、ディスク（disc）は、レーザーを用いて光学的にデータを再生する。上記の組み合わせは、また、コンピュータ可読媒体の範囲内に含まれるべきである。
【００３２】
[0042]図１は、ＬＴＥネットワークアーキテクチャ１００を示す図である。ＬＴＥネットワークアーキテクチャ１００は、発展型パケットシステム（ＥＰＳ）１００と称されうる。ＥＰＳ１００は、１つまたは複数のユーザ機器（ＵＥ）１０２と、発展型ＵＭＴＳテレストリアルラジオアクセスネットワーク（Ｅ−ＵＴＲＡＮ）１０４と、発展型パケットコア（ＥＰＣ）１１０と、ホーム加入者サーバ（ＨＳＳ）１２０と、オペレータのＩＰサービス１２２とを含みうる。ＥＰＳは、他のアクセスネットワークと相互接続することができるが、簡潔化のために、それらのエンティティ／インターフェースは図示しない。図示されているように、ＥＰＳはパケット交換サービスを提供するが、当業者が容易に理解するように、本開示全体を通して提示される様々な概念は、回路交換サービスを提供するネットワークに拡張されうる。
【００３３】
[0043]Ｅ−ＵＴＲＡＮは、発展型ノードＢ（ｅノードＢ）１０６および他のｅノードＢ１０８を含む。ｅノードＢ１０６は、ＵＥ１０２へのユーザおよび制御プレーンプロトコルターミネーションを提供する。ｅノードＢ１０６は、バックホール（例えば、Ｘ２インターフェース）を介して、他のｅノードＢ１０８に接続されることができる。ｅノードＢ１０６はまた、当業者によって、基地局、基地トランシーバ局、無線基地局、無線トランシーバ、トランシーバ機能、ベーシックサービスセット（ＢＳＳ）、拡張サービスセット（ＥＳＳ）、または何らかの他の適した専門用語として称されうる。ｅノードＢ１０６は、ＵＥ１０２のためのＥＰＣ１１０へのアクセスポイントを提供する。ＵＥ１０２の例には、携帯電話、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレイヤ（例えば、ＭＰ３プレイヤ）、カメラ、ゲーム機、またはいずれかの他の同様の機能を含む。ＵＥ１０２はさらに、当業者によって、モバイル局、加入者局、モバイルユニット、加入者ユニット、無線ユニット、遠隔ユニット、モバイルデバイス、無線デバイス、無線通信デバイス、遠隔デバイス、モバイル加入者局、アクセス端末、モバイル端末、無線端末、遠隔端末、ハンドセット、ユーザエージェント、モバイルクライアント、クライアント、あるいはその他適切な用語で呼ばれうる。
【００３４】
[0044]ｅノードＢ１０６は、例えば、Ｓ１インターフェースを介してＥＰＣ１１０と接続する。ＥＰＣ１１０は、モビリティ管理エンティティ（ＭＭＥ）１１２、他のＭＭＥ１１４、サービングゲートウェイ１１６、パケットデータネットワーク（ＰＤＮ）ゲートウェイ１１８を含む。ＭＭＥ１１２は、ＵＥ１０２とＥＰＣ１１０との間のシグナリングを処理する制御ノードである。一般的に、ＭＭＥ１１２は、ベアラおよび接続管理を提供する。全てのユーザＩＰパケットは、自身がＰＤＮゲートウェイ１１８に接続されたサービングゲートウェイ１１６を通じて転送される。ＰＤＮゲートウェイ１１８は、ＵＥ  ＩＰアドレス割り当て、ならびに他の機能を提供する。ＰＤＮゲートウェイ１１８は、オペレータのＩＰサービス１２２に接続される。オペレータのＩＰサービス１２２は、インターネット、イントラネット、ＩＰマルチメディアサブシステム（ＩＭＳ）、およびＰＳストリーミングサービス（ＰＳＳ）を含みうる。
【００３５】
[0045]図２は、ＬＴＥネットワークアーキテクチャ内におけるアクセスネットワーク２００の例を示す図である。この例では、アクセスネットワーク２００は、多数のセルラ領域（セル）２０２に分割される。１つまたは複数のより低い電力クラスのｅノードＢ２０８は、１つまたは複数のセル２０２とオーバラップするセルラ領域２１０を有しうる。より低い電力クラスのｅノードＢ２０８は、リモート無線ヘッド（ＲＲＨ）、フェムトセル（例えば、ホームｅノードＢ（ＨｅＮＢ））、ピコセル、またはマイクロセルでありうる。マクロｅノードＢ２０４は、それぞれ、各セル２０２に割り当てられ、セル２０２内のすべてのＵＥ２０６のためのＥＰＣ１１０へのアクセスポイントを提供するように構成される。アクセスネットワーク２００のこの例には集中制御器が存在しないが、代替の構成では、集中制御器が使用されうる。ｅノードＢ２０４は、無線ベアラ制御、アドミッション制御、モビリティ制御、スケジューリング、セキュリティ、およびサービングゲートウェイ１１６への接続を含む、無線関連のすべての機能を担う。
【００３６】
[0046]アクセスネットワーク２００によって用いられる変調および多元接続スキームは、展開されている特定の電気通信規格に依存して変わりうる。ＬＴＥアプリケーションでは、周波数分割複信（ＦＤＤ）および時分割複信（ＴＤＤ）の両方をサポートするために、ＯＦＤＭがダウンリンク上で使用され、ＳＣ−ＦＤＭＡがアップリンク上で使用される。以下に続く詳細な説明から当業者が容易に認識することになるように、ここで表される様々な概念はＬＴＥアプリケーションにうまく適合される。しかしながら、これらの概念は、他の変調及び複数のアクセス技法を用いる他の電気通信標準規格に容易に拡張されうる。例として、これらの概念は、エボリューションデータ最適化（ＥＶ−ＤＯ：Evolution-Data Optimized）、またはウルトラモバイルブロードバンド（ＵＭＢ）に拡張されうる。ＥＶ−ＤＯおよびＵＭＢは、ＣＤＭＡ２０００ファミリー規格の一部として、２世代パートナーシッププロジェクト２（３ＧＰＰ２）によって公表されたインターフェース規格であり、モバイル局にブロードバンドインターネットアクセスを提供するためにＣＤＭＡを用いる。これらの概念はまた、広帯域ＣＤＭＡ（Ｗ−ＣＤＭＡ）、およびＴＤ−ＳＣＤＭＡのようなＣＤＭＡの他の変形例を用いるユニバーサル地上無線アクセス（ＵＴＲＡ）、ＴＤＭＡを用いるグローバル移動体通信システム（ＧＳＭ（登録商標））、および、ＯＦＤＭＡを用いるフラッシュＯＦＤＭ、ＩＥＥＥ８０２．２０、ＩＥＥＥ８０２．１６（ＷｉＭＡＸ）、ＩＥＥＥ８０２．１１（Ｗｉ−Ｆｉ）、ウルトラモバイルブロードバンド（ＵＭＢ）、および発展型ＵＴＲＡ（Ｅ−ＵＴＲＡ）に拡張されうる。ＵＴＲＡ、Ｅ−ＵＴＲＡ、ＵＭＴＳ、ＬＴＥ、およびＧＳＭは、３ＧＰＰの組織からの文書内において説明される。ＣＤＭＡ２０００およびＵＭＢは、３ＧＰＰ２の組織からの文書内において説明される。用いられる実際のワイヤレス通信規格および多元接続技術は、システムに課された全体的な設計の制約および特定のアプリケーションに依存するだろう。
【００３７】
[0047]ｅノードＢ ２０４は、ＭＩＭＯ技術をサポートする複数のアンテナを有しうる。ＭＩＭＯ技術の使用は、ｅノードＢ２０４に、空間領域を利用して、空間多重、ビームフォーミング、および送信ダイバーシティをサポートすることを可能にする。空間多重化は、同じ周波数上で同時に異なるデータのストリームを送信するために使用されうる。それらのデータストリームは、データレートを増加させるために単一のＵＥ２０６に、または、全体的なシステム容量を増加させるために複数のＵＥ２０６に、送信されることができる。これは、各データストリームを、空間的にプリコーディング（すなわち、振幅および位相のスケーリングを適用）することと、空間的にプリコーディングされた各ストリームを、下りリンクで複数の送信アンテナによって送信することとによって達成される。空間的にプリコーディングされたデータストリームは、異なる空間シグネチャとともにＵＥ２０６へと到達し、それは、ＵＥ２０６の各々に、そのＵＥ２０６に宛てられた１つまたは複数のデータストリームを復元することを可能にさせる。アップリンク上で、各ＵＥ２０６は、空間的にプリコーディングされたデータストリームを送信し、それは、ｅノードＢ ２０４が各々空間的にプリコーディングされたデータストリームのソースを識別することを可能にする。
【００３８】
[0048]空間多重化は、一般的にチャネル状態が良好な場合に使用される。チャネル条件があまり好ましくない場合、ビームフォーミングは、１つまたは複数の方向に送信エネルギーを集中するために使用されうる。これは、複数のアンテナを通じた送信のためにデータを空間的にプリコーディングすることによって、達成されうる。セルの端で良好なカバレッジを達成するために、単一のストリームのビームフォーミング送信が送信ダイバーシティと組み合わせて使用されうる。
【００３９】
[0049]以下に続く詳細な説明において、アクセスネットワークの様々な態様は、ダウンリンク上でＯＦＤＭをサポートするＭＩＭＯシステムを参照して説明される。ＯＦＤＭは、ＯＦＤＭシンボル内の多数のサブキャリアにわたってデータを変調する拡散スペクトル技術である。これらのサブキャリアは、正確な周波数を隔てた間隔があけられる。この間隔は、これらのサブキャリアからのデータの復元を受信機に可能にさせる、「直交性」を提供する。時間領域では、ＯＦＤＭシンボル間干渉を抑制するために、各ＯＦＤＭシンボルにガードインターバル（例えば、サイクリックプリフィクス）が追加されうる。アップリンクは、高いピーク対平均電力比（ＰＡＰＲ）を補償するために、ＤＦＴ拡散ＯＦＤＭ信号の形態でＳＣ−ＦＤＭＡを使用しうる。
【００４０】
[0050]図３は、ＬＴＥ内におけるダウンリンクフレーム構造の例を示す図３００である。フレーム（１０ｍｓ）が、１０個の等しいサイズのサブフレームに分割されうる。それぞれのサブフレームは、２つの連続するタイムスロットを含むことができる。リソースグリッドは、２つのタイムスロットを表すために使用されることができ、各タイムスロットは、リソースブロックを含む。リソースグリッドは、複数のリソースエレメントに分割される。ＬＴＥでは、リソースブロックは、周波数領域における１２個の連続するサブキャリアと、各ＯＦＤＭシンボル中のノーマルなサイクリックプリフィクスに対して、時間領域における７個の連続するＯＦＤＭシンボルとを含み、すなわち、８４個のリソース要素を含む。拡張されたサイクリックプリフィックスに対して、リソースブロックは、時間領域において６個の連続するＯＦＤＭシンボルを含み、７２個のリソース要素をもたらす。Ｒ３０２、３０４として示される、リソース要素のいくつかは、ダウンリンク基準信号（ＤＬ−ＲＳ）を含む。ＤＬ−ＲＳは、セル固有のＲＳ（ＣＲＳ）（またときどき共通ＲＳと呼ばれる）３０２と、ＵＥ固有のＲＳ（ＵＥ−ＲＳ）３０４とを含む。ＵＥ−ＲＳ３０４は、対応する物理下りリンク共有チャネル（ＰＤＳＣＨ）がマッピングされたリソースブロックのみで送信される。各リソース要素によって搬送されるビット数は、変調スキームに依存する。したがって、ＵＥが受信するリソースブロックが多いほど、また、変調スキームが高度であるほど、そのＵＥのためのデータレートは高くなる。
【００４１】
[0051]図４は、ＬＴＥ内におけるアップリンクフレーム構造の例を示す図４００である。アップリンクのために利用可能なリソースブロックは、データセクションおよび制御セクションに区分されうる。制御セクションは、システム帯域幅の両端に形成されることができ、構成可能なサイズを有しうる。制御セクションにおけるリソースブロックは、制御情報の送信のためにＵＥに割り当てられうる。データセクションは、制御セクションに含まれないすべてのリソースブロックを含みうる。アップリンクフレーム構造は、隣接したサブキャリアを含むデータセクションに帰結し、それは、単一のＵＥに、データセクション内の隣接したサブキャリアの全てに割り当てることを可能にさせうる。
【００４２】
[0052]ＵＥは、ｅノードＢに制御情報を送信するために、制御セクションにおけるリソースブロック４１０ａ、４１０ｂを割り当てられうる。このＵＥはまた、ｅノードＢにデータを送信するために、データセクション内のリソースブロック４２０ａ、４２０ｂを割り当てられうる。このＵＥは、制御セクション内において割り当てられたリソースブロック上の、物理アップリンク制御チャネル（ＰＵＣＣＨ）内で、制御情報を送信しうる。このＵＥは、データセクション内における割り当てられたリソースブロック上の物理アップリンク共有チャネル（ＰＵＳＣＨ）内で、データのみ、またはデータと制御情報の両方を送信しうる。アップリンク送信は、サブフレームの両スロットに及び、周波数にわたってホッピングしうる。
【００４３】
[0053]リソースブロックのセットは、物理ランダムアクセスチャネル（ＰＲＡＣＨ）４３０内で、アップリンク同期を達成し、初期システムアクセスを実行するために使用されうる。ＰＲＡＣＨ４３０は、ランダムシーケンスを搬送する。各ランダムアクセスプリアンブルは、６つの連続するリソースブロックに対応する帯域幅を占有する。開始する周波数は、ネットワークによって指定される。すなわち、ランダムアクセスプリアンブルの送信は、ある特定の時間および周波数リソースに制限される。ＰＲＡＣＨのためにホッピングする周波数はない。ＰＲＡＣＨ試みは、単一のサブフレーム（１ｍｓ）において、またはいくつかの隣接するサブフレームのシーケンスにおいて搬送され、ＵＥは、１フレーム（１０ｍｓ）毎に１つのみのＰＲＡＣＨ試みを行いうる。
【００４４】
[0054]図５は、ＬＴＥ内におけるユーザおよび制御プレーンのための無線プロトコルアーキテクチャの例を示す図５００である。ＵＥおよびｅノードＢのための無線プロトコルアーキテクチャは、３つのレイヤ：レイヤ１、レイヤ２、レイヤ３、で示される。レイヤ１（Ｌ１レイヤ）は、最下位のレイヤであり、様々な物理レイヤ信号処理機能を実装する。Ｌ１レイヤは、本明細書では物理レイヤ５０６と称されることになる。レイヤ２（Ｌ２レイヤ）５０８は、物理レイヤ５０６よりも上位であり、物理レイヤ５０６を介したＵＥとｅノードＢとの間のリンクを担う。
【００４５】
[0055]ユーザプレーンにおいて、Ｌ２レイヤ５０８は、メディアアクセス制御（ＭＡＣ）サブレイヤ５１０、無線リンク制御（ＲＬＣ）サブレイヤ５１２、およびパケットデータコンバージェンスプロトコル（ＰＤＣＰ）５１４サブレイヤを含み、それは、ネットワーク側のｅノードＢで終端となる。示されていないが、ＵＥは、ネットワーク側のＰＤＮゲートウェイ１１８で終端するネットワークレイヤ（例えば、ＩＰレイヤ）と、接続の他端（例えば、遠端ＵＥ、サーバ、等）で終端するアプリケーションレイヤとを含む、Ｌ２レイヤ５０８よりも上の、いくつかの上位レイヤを有しうる。
【００４６】
[0056]ＰＤＣＰサブレイヤ５１４は、異なる無線ベアラと論理チャネルとの間の多重化を提供する。ＰＤＣＰサブレイヤ５１４はまた、無線送信のオーバーヘッドを低減するための上位レイヤデータパケットのためのヘッダ圧縮と、データパケットを暗号化することによるセキュリティと、ｅノードＢ間でのＵＥのためのハンドオーバサポートとを提供する。ＲＬＣサブレイヤ５１２は、上位レイヤデータパケットのセグメンテーションおよび再アセンブリと、損失データパケットの再送と、ハイブリッド自動再送要求（ＨＡＲＱ）による順序が乱れた受信を補償するためにデータパケットの再順序付けとを提供する。ＭＡＣサブレイヤ５１０は、論理チャネルとトランスポートチャネルとの間の多重化を提供する。ＭＡＣサブレイヤ５１０はまた、１つのセルにおけるさまざまな無線リソース（たとえば、リソースブロック）のＵＥ間での割り振りを担う。ＭＡＣサブレイヤ５１０はまた、ＨＡＲＱ演算を担う
[0057]制御プレーンでは、ＵＥおよびｅＮＢのための無線プロトコルアーキテクチャは、制御プレーンのためのヘッダ圧縮機能がないことは例外として、物理レイヤ５０６およびＬ２レイヤ５０８に対して実質的に同じである。制御プレーンはまた、レイヤ３（Ｌ３レイヤ）における無線リソース制御（ＲＲＣ）サブレイヤ５１６を含む。ＲＲＣサブレイヤ５１６は、無線リソース（すなわち、無線ベアラ）を取得することと、ｅノードＢとＵＥとの間でＲＲＣシグナリングを使用して下位レイヤを構成することとを担う。
【００４７】
[0058]図６は、アクセスネットワーク内においてＵＥ６５０と通信するｅノードＢ６１０のブロック図である。ダウンリンクでは、コアネットワークからの上位レイヤパケットは、制御器／プロセッサ６７５に提供される。制御器／プロセッサ６７５は、Ｌ２レイヤの機能性を実装する。ダウンリンクにおいて、制御器／プロセッサ６７５は、ヘッダ圧縮、暗号化、パケットセグメンテーションおよび再順序付け、論理チャネルとトランスポートチャネルとの間での多重化、さまざまな優先順位メトリックに基づくＵＥ６５０に対する無線リソースの割り振りを提供する。制御器／プロセッサ６７５はまた、ＨＡＲＱ演算、損失パケットの再送、ＵＥ６５０へのシグナリングを担う。
【００４８】
[0059]ＴＸプロセッサ６１６は、Ｌ１レイヤ（つまり、物理レイヤ）のための様々な信号処理機能を実装する。信号処理機能は、ＵＥ６５０での前方誤り訂正（ＦＥＣ）を容易にするようにコード化しインターリーブすることと、さまざまな変調スキーム（例えば、２位相偏移変調（ＢＰＳＫ）、４位相偏移変調（ＱＰＳＫ）、Ｍ位相偏移変調（Ｍ−ＰＳＫ）、Ｍ値直交振幅変調（Ｍ−ＱＡＭ））に基づいて信号コンステレーションにマッピングすることとを含む。その後、コード化され、変調されたシンボルは、並列ストリームに分けられる。その後、各ストリームは、時間領域のＯＦＤＭシンボルストリームを搬送する物理チャネルを生成するために、ＯＦＤＭサブキャリアにマッピングされ、時間領域および／または周波数領域において基準信号（たとえば、パイロット）とともに多重化され、そして、逆高速フーリエ変換（ＩＦＦＴ）を使用してともに合成される。ＯＦＤＭストリームは、複数の空間ストリームを生成するために空間的にプリコーディングされる。チャネル推定器６７４からのチャネル推定値が、コード化スキームおよび変調スキームを決定するために、ならびに空間処理のために、使用されうる。チャネル推定値は、ＵＥ６５０によって送信された基準信号および／またはチャネル条件フィードバックから導出されうる。その後、各空間ストリームは、別個の送信機７１８ＴＸを介して異なるアンテナ６２０に提供される。各送信機６１８ＴＸは、ＲＦキャリアを、送信されるそれぞれの空間ストリームを用いて変調する。
【００４９】
[0060]ＵＥ６５０で、各受信機６５４ＲＸは、そのそれぞれのアンテナ６５２を通じて信号を受信する。各受信機６５４ＲＸは、ＲＦキャリア上に変調された情報を復元し、受信機（ＲＸ）プロセッサ６５６にその情報を提供する。ＲＸプロセッサ６５６は、Ｌ１レイヤの様々な信号処理機能を実装する。ＲＸプロセッサ６５６は、ＵＥ６５０に宛てられた任意の空間ストリームを復元するために、その情報に対し空間処理を実行する。複数の空間ストリームがＵＥ６５０に宛てられる場合、それらは、単一のＯＦＤＭシンボルストリームにＲＸプロセッサ６５６によって合成されることができる。その後、ＲＸプロセッサ６５６は、高速フーリエ変換（ＦＦＴ）を使用して、そのＯＦＤＭシンボルストリームを時間領域から周波数領域へと変換する。周波数領域信号は、ＯＦＤＭ信号の各サブキャリアに対する別個のＯＦＤＭシンボルストリームを備える。各サブキャリア上のシンボル、および基準信号は、ｅノードＢ６１０によって送信された最も確からしい信号コンステレーションポイントを決定することによって、復元および復調される。これらの軟判定は、チャネル推定器６５８によって計算されたチャネル推定値に基づきうる。その後、これらの軟判定は、物理チャネル上でｅノードＢ６１０によって元々送信されたデータおよび制御信号を復元するために、復号およびデインターリーブされる。その後、データおよび制御信号は制御器／プロセッサ６５９に提供される。
【００５０】
[0061]制御器／プロセッサ６５９は、Ｌ２レイヤを実装する。制御器／プロセッサは、プログラムコードおよびデータを記憶するメモリ６６０に関連付けられることができる。メモリ６６０は、コンピュータ可読媒体と称されうる。アップリンクでは、制御器／プロセッサ６５９は、コアネットワークからの上位レイヤパケットを復元するために、トランスポートチャネルと論理チャネルとの間でのデマルチプレクシング、パケットの再アセンブリ、暗号解読、ヘッダ圧縮解除、制御信号処理を提供する。その後、上位レイヤパケットは、データシンク６６２に提供され、それは、Ｌ２レイヤより上位のすべてのプロトコルレイヤを表す。様々な制御信号はまた、Ｌ３処理のためにデータシンク６６２に提供されうる。制御器／プロセッサ６５９はまた、ＨＡＲＱ演算をサポートするために、肯定応答（ＡＣＫ）および／または否定応答（ＮＡＣＫ）プロトコルを使用した誤り検出を担う。
【００５１】
[0062]アップリンクでは、データソース６６７は、上位レイヤパケットを制御器／プロセッサ６５９に提供するために使用される。データソース６６７は、Ｌ２レイヤより上位の全てのプロトコルレイヤを表すｅノードＢによるダウンリンク送信に関連して説明された機能と同様に、制御器／プロセッサ６５９は、例えば、ヘッダ圧縮、暗号化、パケットセグメンテーションおよび再順序付け、およびｅノードＢ６１０による無線リソース割り振りに基づいて論理チャネルとトランスポートチャネルとの間での多重化を提供することにより、ユーザプレーンおよび制御プレーンのためのＬ２レイヤを実装する。制御器／プロセッサ６５９はまた、ＨＡＲＱ演算、損失パケットの再送、ｅノードＢ６１０へのシグナリングを担う。
【００５２】
[0063]ｅノードＢ６１０によって送信される基準信号またはフィードバックからチャネル推定機６５８によって導出されるチャネル推定値は、適切なコーディングおよび変調スキームを選択するために、および空間処理を容易にするためにＴＸプロセッサ６６８によって使用されうる。ＴＸプロセッサ６６８によって生成された空間ストリームは、別個の送信機６５４ＴＸを介して異なるアンテナ６５２に提供される。各送信機６５４ＴＸは、送信のためにそれぞれの空間ストリームを用いてＲＦキャリアを変調する。
【００５３】
[0064]アップリンク送信は、ＵＥ６５０での受信機機能と関係して記述されたものと類似の方式でｅノードＢ６１０で処理される。各受信機６１８ＲＸは、その各アンテナ６２０を通じて、信号を受信する。各受信機６１８ＲＸは、ＲＦキャリア上で変調された情報を復元し、ＲＸプロセッサ６７０にその情報を提供する。ＲＸプロセッサ６７０は、Ｌ１レイヤを実装しうる。
【００５４】
[0065]制御器／プロセッサ６７５は、Ｌ２レイヤを実装する。制御器／プロセッサ６７５は、プログラムコードおよびデータを記憶するメモリ６７６に関連付けられることができる。メモリ６７６は、コンピュータ可読媒体と称されうる。アップリンクでは、制御器／プロセッサ６７５は、ＵＥ６５０からの上位レイヤパケットを復元するために、トランスポートチャネルと論理チャネルとの間でのデマルチプレクシング、パケットの再アセンブリ、暗号解読、ヘッダ圧縮解除、制御信号処理を提供する。制御器／プロセッサ６７５からの上位レイヤパケットは、コアネットワークに提供されうる。制御装置／プロセッサ６７５はまた、ＨＡＲＱ演算をサポートするために、ＡＣＫおよび／またはＮＡＣＫプロトコルを使用して誤り検出を担う。  
強化された新規キャリアタイプ（ｅＮＣＴ）のための設計要素
【００５５】
[0066]密集したネットワークは、各マクロセルエリア中に、ピコノード、リモートラジオヘッダ（ＲＲＨ）、および／またはフェムトノードのような、多数の送信ノードを含みうる。密集したネットワークが様々なタイプのノードを含むので、エネルギー効率の良いインフラストラクチャの必要性が存在する。密集したネットワークは、過度に密集したネットワーク（hyper dense network）と称されうる。概して、ユーザ機器（ＵＥ）は、スパース共通シグナリング（sparse common signaling）の必要性を指定する。スパース波形は、ｅノードＢ対ＵＥ比が約１対１である場合のような、部分的に負荷のかかったネットワーク（loaded network）に適している。
【００５６】
[0067]トラッフィックがバースト的（bursty）である場合、状態遷移時間を低減または最小化しうる。１つの例示では、遷移状態は、オフ状態から目覚めること、トランザクションを完了すること、およびオフ状態に戻ることを含みうる。
【００５７】
[0068]本開示の１つの態様は、認可された共有アクセス（ＡＳＡ）に向けられる。現職者は、認可され共有されるアクセススペクトルに対する干渉制限を課しうる。ライセンシは、現職者の十分に利用されない認可され共有されるアクセススペクトルを使用する。スパース波形は、部分的に負荷のかかっているシナリオ（loading scenarios）中のライセンシおよび現職者（incumbent）の干渉を低減しうる。反対に、より多くのライセンシノードが同じ干渉限定の影響を受けてスパース波形で動作することができる。
【００５８】
[0069]強化された新規キャリアタイプ（ｅＮＣＴ）は、ＬＴＥシステムのために提案された。強化された新規キャリアタイプは、スパース波形ベースの設計から導出される。強化された新規キャリアタイプは、すべての物理（ＰＨＹ）および手続変更のためのコンテナである。レガシキャリアタイプは、レガシＵＥをサポートする。すなわち、リリース８  ＬＴＥおよびこれを超える能力のあるＵＥは、レガシキャリアタイプに参加することができる。
【００５９】
[0070]レガシキャリアタイプの不連続送信（ＤＴＸ）バージョンは、エネルギー効率性のために指定されうる。それにもかかわらず、不連続送信は、強化された新規キャリアタイプのために指定されない。追加として、不連続送信は、状態遷移に関係する問題に単独で取り組みえない。
【００６０】
[0071]ネットワークは、２つのレイヤを含みうる。ベースレガシキャリアタイプレイヤは、ＬＴＥリリース１１に等しいリリースまたはそれより前のリリースの能力があるデバイスのような、レガシＬＴＥデバイスと、ＬＴＥリリース１２およびそれを超えるリリースの能力があるような、新規ＬＴＥデバイスとをサポートしうる。強化された新規キャリアタイプレイヤは、スタンドアローンモードにおける新規ＬＴＥデバイスのみをサポートする。ネットワークは、１つのレイヤ内のおよび複数のレイヤにわたる複数のノードにわたって、システムフレーム番号（ＳＦＮ）同期方法で配備される。
【００６１】
[0072]本開示の態様によれば、セルは、３つのパラメータに基づいてレイヤ１（Ｌ１）セルとして定義されうる。３つのパラメータは、物理セルＩＤ（ＰＣＩ）、搬送周波数、およびキャリアタイプを含む。セルは、そのセルグローバルアイデンティフィケーション（ＣＧＩ）によってユニークに識別される。検出は、タイミング情報、ユニークＩＤ、および／または追加情報を含む。
【００６２】
[0073]強化された新規キャリアタイプは、後方互換性を有するように構成され、したがって、各強化された新規キャリアタイプ能力のあるＵＥがさらに、レガシキャリアタイプに関連する能力を有する。リリース１０キャリアアグリゲーション能力を有するレガシキャリアタイプのＵＥは、強化された新規キャリアタイプにクロスキャリアスケジュールされうる。この場合、プライマリコンポーネントキャリア（ＰＣＣ）は、レガシキャリアタイプのためのものであり、セカンダリコンポーネントキャリア（ＳＣＣ）は、強化された新規キャリアタイプのためのものである。
【００６３】
[0074]本開示の別の態様では、セルは、トリガイベントに基づいて強化された新規キャリアタイプとレガシキャリアタイプとの間で切り替わるように構成される。トリガイベントは、ＵＥのタイプ、負荷（load）、ランダムアクセスチャネル（ＲＡＣＨ）メッセージ、または他のイベントを含みうるがこれらに限定されない。
【００６４】
[0075]１つの構成では、トリガイベントは、ＵＥ検出信号（ＵＤＳ）でありうる。別の構成では、トリガは、サービングセルによって送信されたハンドオーバメッセージでありうる。ＵＥ検出信号は、物理ランダムアクセスチャネル（ＰＲＡＣＨ）ランダムアクセスのような、ランダムアクセス信号またはサウンディング基準信号（ＳＲＳ）信号を含みうる。ランダムアクセス信号は、ＵＥでサービングセルから受信した制御チャネルメッセージに応じて送信されうる。制御チャネルメッセージは、物理ダウンリンク制御チャネル（ＰＤＣＣＨ）メッセージでありうる。
【００６５】
[0076]本開示の態様によれば、ＵＥ検出信号は、物理アップリンク供給チャネル（ＰＵＳＣＨ））のような、供給アップリンクチャネルにマッピングされる。マッピングは、ランダムに選択されるリソースブロックロケーションに基づきうる。
【００６６】
[0077]また別の構成では、セルは、少なくとも受信したランダムアクセスチャネル信号に基づいて、新規キャリアタイプのモードとレガシキャリアタイプのモードとの間を切り替える。以前に議論されたように、ランダムアクセス信号は、サービングセルからＵＥで受信した制御チャネルメッセージに応じて送信されうる。制御チャネルメッセージは、物理ダウンリンク制御チャネルメッセージでありうる。
【００６７】
[0078]図７は、レガシキャリアタイプと強化された新規キャリアタイプとの両方を有するネットワークを説明する図である。特に、ネットワーク７００は、レガシキャリアタイプのセル７０２と、レガシキャリアタイプおよび強化された新規キャリアタイプの両方で稼働する強化された新規キャリアタイプのセル７０４およびセル７０６とを含む。セル７０２、７０４、７０６は、マクロセル、リモートラジオヘッダ（ＲＲＨ）、フェムトセル、ピコセル、またはマイクロセルを含みうる。
【００６８】
[0079]図８Ａ中で説明されるように、強化された新規キャリアタイプのセルは、様々なセル状態を含むように構成されうる。特に、強化された新規キャリアタイプのセル８０１は、オフ状態８１０、休止状態８１２、およびアクティブ状態８１４を含む。オフ状態８１０では、強化された新規キャリアタイプのセルは、ＵＥを検出することまたはＵＥによって検出されることができない。
【００６９】
[0080]強化された新規キャリアタイプのセルが休止状態８１２に遷移する場合、強化された新規キャリアタイプセルの送信／受信のレートが低減されうる。特に、強化された新規キャリアタイプのセルは、ダウンリンク共通信号およびチャネルの周期的な低デューティサイクル（ＬＤＣ）送信を有するように構成される。強化された新規キャリアタイプはさらに、アップリンク検出信号およびチャネルのための周期的な低デューティサイクル受信で構成されうる。さらに、送信のタイミングおよび周期性は、ダウンリンクにスレーブ状態（slaved）にあることができる。すなわち、送信の後、デバイスは、ダウンリンク情報を送信することのみのために指定された時間を超えて起きたままで、応答を待つ。１つの構成では、低デューティサイクルで送信された共通信号およびチャネルは、同期信号、物理ブロードキャストチャネル、共通基準信号、および／またはセル検出信号（ＣＤＳ）を含みうる。
【００７０】
[0081]強化された新規キャリアタイプのセルの休止状態構成の例は、以下のとおりである。特に、休止状態における強化された新規キャリアタイプの低デューティサイクルのための周期性の例は、｛８０、１６０、３２０、．．．、５１２０｝ｍｓである。休止状態中に送信する場合、強化された新規キャリアタイプのセルは、シンボル、サブフレーム、無線フレームタイミング、および／または物理セルＩＤを提供する狭帯域同期信号（つまり、プライマリ同期信号（ＰＳＳ）／セカンダリ同期信号（ＳＳＳ））のようなレガシキャリアタイプと同様の信号を送信しうる。
【００７１】
[0082]強化された新規キャリアタイプはさらに、サブフレームナンバータイミングおよびブロードバンド共通基準信号（ＣＲＳ）送信を提供するためにブロードキャストチャネルを送信しうる。追加として、休止状態における強化された新規キャリアタイプのセルは、「ＳＩＢ１−ｌｉｔｅ」と称されるセル検出信号（ＣＤＳ）を送信することができる。セル検出信号はさらに、固有セルＩＤおよび／またはアクセスパラメータを提供しうる。セル検出信号は、対応するダウンリンク制御チャネルのないダウンリンク共有チャネルにマッピングされる。この暗黙のマッピングは、既知の変調コーディングスキーム（ＭＣＳ）および物理セルＩＤの関数としてリソースブロック（ＲＢ）ロケーションを含みうる。
【００７２】
[0083]アクティブ状態８１４では、強化された新規キャリアタイプのセルは、共通信号およびチャネルの周期的な高ディーティサイクル（ＨＤＣ）送信のほかにユーザ特定制御およびデータ送信も含む。アクティブ状態における新規キャリアタイプのセルに対して、アップリンク通信は、ユーザ特定制御およびデータ受信を含む。
【００７３】
[0084]１つの構成では、高デューティサイクルで送信された共通信号およびチャネルは、同期信号、物理ブロードキャストチャネル（ＰＢＣＨ）、共通基準信号（ＣＲＳ）、システム情報ブロック（ＳＩＢ）、および／またはデータチャネルを含む。すなわち、アクティブ状態中に送信する場合、強化された新規キャリアタイプのセルは、同期信号（ＰＳＳ／ＳＳＳ）、ブロードキャストチャネル、ＳＩＢ１およびＳＩＢ２のようなレガシキャリアタイプと同様の信号を送信する。さらに、アクティブ状態は、５ｍｓの周期性で共通基準信号を送信しうる。さらに、ＳＩＢ２は、休止状態の強化された新規キャリアタイプのセルの共通信号／チャネル周期性を示すように構成されうる。例えば、休止状態の強化された新規キャリアタイプのセルにおける周期性は、｛８０、１６０、．．．、５１２０｝ｍｓである。ＳＩＢ２はさらに、休止状態の強化された新規キャリアタイプのセルの帯域幅および送信（Ｔｘ）アンテナパラメータを伝達するように構成されうる。
【００７４】
[0085]図８Ｂは、レガシキャリアタイプのセル８０２の様々な状態を説明する。特に、レガシキャリアタイプのセル８０２は、オフ状態８２０、休止状態８２２、およびアクティブ状態８２４を含むように構成される。オフ状態８２０では、レガシキャリアタイプのセルは、ＵＥを検出することができない、またはＵＥによって検出されることができない。
【００７５】
[0086]休止状態８２２では、レガシキャリアタイプは、近隣セルと接続された状態におけるＵＥからのアップリンク信号の周期的な受信を有するように構成される。アップリンク信号は、レガシキャリアタイプに基づくものであり、熱干渉（ＩｏＴ）測定値、周期的なアップリンク制御チャネル送信、周期的または非周期的なサウンディング基準信号（ＳＲＳ）、および／または近隣サービングセルのダウンリンク制御チャネル送信によってトリガされるランダムアクセスチャネルプロシージャを含みうる。アクティブ状態８２４では、レガシキャリアタイプセルは、リリース８動作に従う。
【００７６】
[0087]強化された新規キャリアタイプおよびレガシキャリアタイプのセルは、ブートストラップされたモードおよびスタンドアローンモードを有するように構成される。ブートストラップされたモードでは、ＵＥは、オフ状態からアイドル状態に遷移することができる。強化された新規キャリアタイプで動作するために、ＵＥがアイドル停止状態にいるとき、ＵＥは、レガシキャリアタイプのセルと関連付けられうる。レガシキャリアタイプセルと関連付けられた場合、ＵＥは、アイドル状態にいる間、レガシキャリアタイプのセルを跳飛し（ricochet off）、休止状態の強化された新規キャリアタイプのセル上の接続状態に遷移しうる。
【００７７】
[0088]１つの構成中では、ブートストラップされたモードである場合、ＵＥは、レガシキャリアタイプのセルから休止状態の強化されたキャリアタイプのセルのためのシステム情報を取得しうる。システム情報は、チャネル周期性、タイミング情報、帯域幅情報、および／またはアンテナ情報を含みうる。
【００７８】
[0089]さらに、ブートストラップされたモードでは、強化された新規キャリアタイプは、レガシキャリアタイプでサブフレームナンバー同期である。レガシキャリアタイプは、これらに限定されないが、荒い無線フレームタイミング（ＰＳＳ、ＳＳＳ）、サブフレームナンバータイミング（ＰＢＣＨ）、休止状態の強化された新規キャリアタイプのセルの共通信号／チャネル周期性、および／または強化された新規キャリアタイプ帯域幅および送信アンテナパラメータのような、強化された新規キャリアタイプ上で動作することに関する情報を提供する。休止状態の強化された新規キャリアタイプセルの周波数の例は、｛８０、１６０、．．．、５１２０｝ｍｓである。ブートストラップされたモードはさらに、レガシキャリアタイプと強化された新規キャリアタイプのキャリアの混合でキャリアアグリゲーション動作を可能にさせる。
【００７９】
[0090]スタンドアローンモードでは、ＵＥは、オフ状態からアイドル状態に遷移する。この構成では、スタンドアローンモードである場合、ＵＥは、強化された新規キャリアタイプ上で動作するために、レガシキャリアタイプ上のネットワークに所属する必要がない。すなわち、アイドル状態のＵＥは、アクティブな強化された新規キャリアタイプのセルと直接関連付けられうる。アクティブな強化された新規キャリアタイプのセルは、休止状態の強化された新規キャリアタイプのセルの検出のための適切な情報を送信する。さらに、タイミングが粗く調整される場合、スタンドアローンモードは、レガシキャリアタイプおよび強化された新規キャリアタイプのキャリアの組み合わせでキャリアアグリゲーション動作を可能にさせる。
【００８０】
[0091]本開示の別の態様はＵＥによって休止状態のセルの検出に向けられる。特に、アイドル状態のＵＥは休止状態の強化された新規キャリアタイプのセルを検出することができる。しかしながら、アイドル状態のＵＥは、休止状態のレガシキャリアタイプのセルを検出することができない。さらに、接続されたＵＥは、休止状態の強化された新規キャリアタイプのセルを検出することができる。しかしながら、接続されたＵＥは、休止状態のレガシキャリアタイプのセルを検出することができない。
【００８１】
[0092]ＵＥによって休止状態の強化された新規キャリアタイプのセル検出の１つの態様では、休止状態の強化された新規キャリアタイプのレイヤパラメータがＵＥにシグナルされる。パラメータは、アクティブなレガシキャリアタイプのＳＩＢ２上、または新規キャリアタイプのセルでシグナルされる。休止状態の強化された新規キャリアタイプのセルにおける共通信号およびチャネル周期性は、｛４０、８０、１６０、．．．、５１２０｝ｍｓでありうる。オプションとして、帯域幅および送信（Ｔｘ）アンテナパラメータはさらにＵＥにシグナルされうる。
【００８２】
[0093]ＵＥは、タイミングおよび物理セルアイデンティフィケーション（ＰＣＩ）を含む同期信号（ＰＳＳ／ＳＳＳ）のような、低デューティサイクル信号およびチャネルを使用して、休止状態の強化された新規キャリアタイプのセルを検出することができる。１つの構成では、ＵＥは、休止状態の強化された新規キャリアタイプのセルを検出するために、ＰＢＣＨ（例えば、帯域幅および送信パラメータ）を使用することができる。別の構成では、ＵＥは、共通基準信号（ＣＲＳ）および／またはセル検出信号（ＣＤＳ）を使用して、休止状態の強化された新規キャリアタイプのセルを検出することができる。
【００８３】
[0094]別の態様は、休止状態のセルによるＵＥの検出に向けられる。休止状態のレガシキャリアタイプのセルは、接続されたＵＥを検出することができるが、アイドルＵＥを検出することができない。休止状態の強化された新規キャリアタイプのセルは、アイドルＵＥ（つまり、強化された新規キャリアタイプのアイドルＵＥ）を検出することができ、さらに接続されたＵＥを検出することができる。
【００８４】
[0095]休止状態のレガシキャリアタイプのセルは、接続されたＵＥを検出することができる。接続されたＵＥは、物理ランダムアクセスチャネル（ＰＲＡＣＨ）のような、ランダムアクセスチャネル上で信号を送信しうる。信号は、ランダムアクセスプリアンブルまたは同様のメッセージを含む。信号は、近隣サービングセルのダウンリンク制御チャネルによってトリガされうる。休止状態のレガシキャリアタイプのセルは、ランダムアクセスチャネル上で送信された信号を検出することで目覚めうる。その後、旧来のランダムアクセスチャネルプロシージャに従う。
【００８５】
[0096]休止状態の強化された新規キャリアタイプのセルは、ＵＥからＵＥ検出信号（ＵＤＳ）を検出しうる。ＵＥ検出信号は、セル検出信号中でシグナルされるような特定のアップリンクサブフレーム上で送信されうる。１つの構成では、ＵＥ検出信号パラメータは、旧来のランダムアクセスチャネルプロシージャに従う。別の構成では、ＵＥ検出信号は、衝突を低減するためにランダムに選択されるリソースブロックロケーションで共有アップリンクチャネルにマッピングされる。この構成では、オープンループパスロス補償は、共通基準信号測定値に基づき、デバイスの固有のアイデンティフィケーションを含む。休止状態の強化された新規キャリアタイプのセルによるＵＥの検出のために、ＵＥ検出信号タイミングは、セル検出信号タイミングに関してオフセットされる。特に、ＵＥは、休止状態のセルを検出し、さらに、同じ休止状態のセルによって検出される。
【００８６】
[0097]図９は、処理システム９１４を用いる装置９００のためのハードウェア実装の例を示す図である。処理システム９１４は、バス９２４によって一般的に表されたバスアーキテクチャを用いて実装されうる。バス９２４は、処理システム９１４の特定の用途と全体的な設計の制約に依存して、任意の数の相互接続バスおよびブリッジを含むことができる。バス９２４は、プロセッサ９２２、モジュール９０２、およびコンピュータ可読媒体９２６によって表される、１つまたは複数のプロセッサおよび／またはハードウェアモジュールを含む様々な回路を相互にリンクさせる。バス９２４はまた、タイミングソース、周辺機器、電圧レギュレータ、電力管理回路のような様々な他の回路とリンクすることができ、これらは、当該技術分野で周知であるので、これ以上説明されない。
【００８７】
[0098]装置は、トランシーバ９３０に結合された処理システム９１４を含む。トランシーバ９３０は、１つまたは複数のアンテナ９２０に結合される。トランシーバ９３０は、伝送媒体を介して様々な他の装置と通信を可能にする。処理システム９１４は、コンピュータ可読媒体９２６に結合されたプロセッサ９２２を含む。プロセッサ９２２は、コンピュータ可読媒体９２６上に記憶されたソフトウェアの実行を含む、一般的な処理を担う。ソフトウェアは、プロセッサ９２２によって実行される場合、任意の特定の装置のために説明される様々な機能を処理システム９１４に実行させる。コンピュータ可読媒体９２６はまた、ソフトウェアを実行する場合にプロセッサ９２２によって操作されるデータを記憶するために使用されうる。
【００８８】
[0099]処理システム９１４は、休止状態にいる間、低デューティサイクルでダウンリンク共通信号およびチャネルを送信するための送信モジュール９０２を含む。送信モジュールは、アクティブ状態にいる間、高デューティサイクルでダウンリンク共通信号およびチャネルを送信するようにさらに構成されうる。モジュールは、プロセッサ９２２内において実行中のソフトウェアモジュール、コンピュータ可読媒体９２６内に存在／記憶されたソフトウェアモジュール、プロセッサ９２２に結合された１つまたは複数のハードウェアモジュール、またはそれらのある組み合わせでありうる。処理システム９１４は、ｅノードＢ６１０の構成要素でありえ、メモリ６４６、および／またはコントローラ／プロセッサ６７５を含み得る。
【００８９】
[00100]図１０は、固有のサイクルで送信するための方法１０００を説明する。ブロック１００２では、ｅノードＢが休止状態の間、低ディーティサイクルでダウンリンク共通信号およびチャネルを送信する。ｅノードＢは、ブロック１００４でアクティブ状態の間、高ディーティサイクルでダウンリンク共通信号およびチャネルを送信する。以上で議論されるように、休止状態にいる間の周期性は、｛４０、８０、１６０、．．．、５１２０｝ｍｓであり、アクティブ状態にいる間の周期性は、休止状態の周期性より５ｍｓまたはいくらか短くなりうる。しかしながら、休止状態にいる間、低デューティサイクルのために実装される特定のデューティサイクル、およびアクティブ状態にいる間の高デューティサイクルがシステム設計および／または配置に依存しうる。
【００９０】
[00101]１つの構成では、ｅノードＢ６１０は、送信するための手段を含むワイヤレス通信のために構成される。１つの態様では、送信手段は、送信手段によって列挙された機能を実行するように構成される、制御器／プロセッサ６７５、メモリ６１６、受信プロセッサ６１８、変調器６１８、および／またはアンテナ６２０でありうる。別の態様では、上述された手段は、上述された手段によって列挙された機能を実行するように構成された任意のモジュールまたは任意の装置でありうる。
【００９１】
[00102]図１１は、処理システム１１１４を用いる装置１１００のためのハードウェア実装の例を示す図である。処理システム１１１４は、バス１１２４によって一般的に表されたバスアーキテクチャを用いて実装されうる。バス１１２４は、処理システム１１１４の特定の用途と全体的な設計の制約に依存して、任意の数の相互接続バスおよびブリッジを含みうる。バス１１２４は、プロセッサ１１２２、モジュール１１０２、およびコンピュータ可読媒体１１２６によって表された、１つまたは複数のプロセッサおよび／またはハードウェアモジュールを含む様々な回路を相互にリンクさせる。バス１１２４はまた、タイミングソース、周辺機器、電圧レギュレータ、電力管理回路のような様々な他の回路とリンクすることができ、これらは、当該技術分野で周知であるので、これ以上説明されない。
【００９２】
[00103]装置は、トランシーバ１１３０に結合された処理システム１１１４を含む。トランシーバ１１３０は、１つまたは複数のアンテナ１１２０に結合される。トランシーバ１１３０は、伝送媒体を介して様々な他の装置と通信を可能にする。処理システム１１１４は、コンピュータ可読媒体１１２６に結合されるプロセッサ１１２２を含む。プロセッサ１１２２は、コンピュータ可読媒体１１２６上に記憶されたソフトウェアの実行を含む、一般的な処理を担う。ソフトウェアは、プロセッサ１１２２によって実行される場合、任意の特定の装置のために説明される様々な機能を処理システム１１１４に実行させる。コンピュータ可読媒体１１２６はまた、ソフトウェアを実行する場合にプロセッサ１１２２によって操作されるデータを記憶するために使用されうる。
【００９３】
[00104]処理システム１１１４は、トリガを受信するための受信モジュール１１０２を含む。処理システム１１１４はさらに、受信トリガに基づいてアクティブ状態と休止状態との間でセルを切り替えるための切り替えモジュール１１０４を含む。モジュールは、プロセッサ１１２２内において実行中のソフトウェアモジュール、コンピュータ可読媒体１１２６内に存在／記憶されたソフトウェアモジュール、プロセッサ１１２２に結合された１つまたは複数のハードウェアモジュール、またはそれらのある組み合わせでありうる。処理システム１１１４は、ｅノードＢ６１０の構成要素でありえ、メモリ６４６、および／または制御器／プロセッサ６７５を含み得る。
【００９４】
[00105]図１２は、ワイヤレス通信のための方法１２００を説明する。ブロック１２０２では、ｅノードＢは、トリガを受信する。トリガは、ＵＥまたは別のｅノードＢによって送られうる。トリガの例は、ＵＥのタイプ、負荷、ランダムアクセスチャネルメッセージ、等を含むがこれらに限定されない。ｅノードＢは、ブロック１２０４で受信されたトリガに少なくとも部分的に基づいてアクティブ状態と休止状態との間でセルを切り替える。
【００９５】
[00106]１つの構成では、ＵＥ６１０は、受信するための手段を含むワイヤレス通信のために構成される。１つの態様では、受信手段は、受信手段によって列挙される機能を実行するように構成される、制御器／プロセッサ６７５、メモリ６４６、受信プロセッサ６７０、変調器６１８、および／またはアンテナ６２０でありうる。ｅノードＢ６１０は、切り替えるための手段を含むようにさらに構成される。この態様では、切り替え手段は、切り替え手段によって列挙される機能を実行するように構成される制御器／プロセッサ６７５、および／またはメモリ６４６でありうる。別の態様では、上述された手段は、上述された手段によって列挙された機能を実行するように構成された任意のモジュールまたは任意の装置でありうる。
【００９６】
[00107]図１３は、処理システム１３１４を用いる装置１３００のためのハードウェア実装の例を説明する図である。処理システム１３１４は、バス１３２４によって一般的に表されたバスアーキテクチャを用いて実装されうる。バス１３２４は、処理システム１３１４の特定の用途と全体的な設計の制約に依存して、任意の数の相互接続バスおよびブリッジを含むことができる。バス１３２４は、プロセッサ１３２２、モジュール１３０２、１３０４、およびコンピュータ可読媒体１３２６によって表された、１つまたは複数のプロセッサおよび／またはハードウェアモジュールを含む様々な回路を相互にリンクさせる。バス１３２４はまた、タイミングソース、周辺機器、電圧レギュレータ、電力管理回路のような様々な他の回路とリンクすることができ、これらは、当該技術分野で周知であるので、これ以上説明されない。
【００９７】
[00108]装置は、トランシーバ１３３０に結合された処理システム１３１４を含む。トランシーバ１３３０は、１つまたは複数のアンテナ１３２０に結合される。トランシーバ１３３０は、伝送媒体を介して様々な他の装置と通信を可能にする。処理システム１３１４は、コンピュータ可読媒体１３２６に結合されたプロセッサ１３２２を含む。プロセッサ１３２２は、コンピュータ可読媒体１３２６上に記憶されたソフトウェアの実行を含む、一般的な処理を担う。ソフトウェアは、プロセッサ１３２２によって実行される場合、任意の特定の装置のために説明される様々な機能を処理システム１３１４に実行させる。コンピュータ可読媒体１３２６はまた、ソフトウェアを実行する場合にプロセッサ１３２２によって操作されるデータを記憶するために使用されうる。
【００９８】
[00109]処理システム１３１４は、システム情報を取得するために、レガシキャリアタイプのセルに接続するための接続モジュール１３０２を含む。処理システム１３１４はさらに、取得したシステム情報に基づいて休止状態の強化された新規キャリアタイプのセルに遷移するための遷移モジュールを含む。モジュールは、プロセッサ１３２２内において実行中のソフトウェアモジュール、コンピュータ可読媒体１３２６内に常駐／記憶されたソフトウェアモジュール、プロセッサ１３２２に結合された１つまたは複数のハードウェアモジュール、またはそれらのある組み合わせでありうる。処理システム１３１４は、ＵＥ６５０の構成要素でありえ、メモリ６６０および／またはコントローラ／プロセッサ６５９を含みうる。
【００９９】
[00110]図１４は、特定のキャリアタイプに接続するための方法１４００を説明する。ブロック１４０２では、ＵＥは、システム情報を取得するためにレガシキャリアタイプに接続する。ブロック１４０４では、ＵＥは、取得したシステム情報に基づいて休止状態の強化された新規キャリアタイプのセルに遷移する。システム情報の例は、チャネル周期性、タイミング情報、帯域幅情報、および／またはアンテナ情報を含むがこれらに限定されない。
【０１００】
[00111]１つの構成では、ＵＥ６５０は、接続するための手段を含む、ワイヤレス通信のために構成される。１つの態様では、接続手段は、接続手段によって列挙された機能を実行するように構成される、制御器／プロセッサ６５９、メモリ６６０、受信プロセッサ６６８、変調器６５４、および／またはアンテナ６５２でありうる。ＵＥ６５０はまた、遷移するための手段を含むように構成されうる。１つの態様では、遷移手段は、切り替え手段によって列挙された機能を実行するように構成される、制御器／プロセッサ６５９、メモリ６６０、受信プロセッサ６６８、変調器６５４、アンテナ６５２であり得る。別の態様において、上述された手段は、上述された手段によって列挙された機能を実行するように構成された任意のモジュールまたは任意の装置でありうる。
【０１０１】
[00112]図１５は、処理システム１５１４を用いる装置１５００のためのハードウェア実装の例を説明する図である。処理システム１５１４は、バス１５２４によって一般的に表されたバスアーキテクチャを用いて実装されうる。バス１５２４は、処理システム１５１４の特定の用途と全体的な設計の制約に依存して、任意の数の相互接続バスおよびブリッジを含むことができる。バス１５２４は、プロセッサ１５２２、モジュール１５０２、１５０４、１２１２、およびコンピュータ可読媒体１５２６によって表された、１つまたは複数のプロセッサおよび／またはハードウェアモジュールを含む様々な回路を相互にリンクさせる。バス１５２４はまた、タイミングソース、周辺機器、電圧レギュレータ、電力管理回路のような様々な他の回路とリンクすることができ、これらは、当該技術分野で周知であるので、これ以上説明されない。
【０１０２】
[00113]装置は、トランシーバ１５３０に結合された処理システム１５１４を含む。トランシーバ１５３０は、１つまたは複数のアンテナ１５２０に結合される。トランシーバ１５３０は、伝送媒体を介して様々な他の装置と通信を可能にする。処理システム１５１４は、コンピュータ可読媒体１５２６に結合されたプロセッサ１５２２を含む。プロセッサ１５２２は、コンピュータ可読媒体１５２６上に記憶されたソフトウェアの実行を含む、一般的な処理を担う。ソフトウェアは、プロセッサ１５２２によって実行される場合、任意の特定の装置のために説明される様々な機能を処理システム１５１４に実行させる。コンピュータ可読媒体１５２６はまた、ソフトウェアを実行する場合にプロセッサ１５２２によって操作されるデータを記憶するために使用されうる。
【０１０３】
[00114]処理システム１５１４は、オフ状態からアイドル状態に遷移するための遷移モジュールを含む。処理システム１５１４はさらに、アイドル状態にいるとき、レガシキャリアタイプ（ＬＣＴ）に最初に所属せずにアクティブな強化された新規キャリアタイプに接続するための接続モジュールを含む。モジュールは、プロセッサ１５２２内において実行中のソフトウェアモジュール、コンピュータ可読媒体１５２６内に常駐／記憶されたソフトウェアモジュール、プロセッサ１５２２に結合された１つまたは複数のハードウェアモジュール、またはそれらのある組み合わせでありうる。処理システム１５１４は、ＵＥ６５０の構成要素でありえ、メモリ６６０、および／または制御器／プロセッサ６５９を含み得る。
【０１０４】
[00115]図１６は、特定のキャリアタイプに所属するための方法１６００を説明する。ブロック１６０２では、ＵＥは、オフ状態からアイドル状態に遷移する。更に、ブロック１６０４では、ＵＥは、レガシキャリアタイプ（ＬＣＴ）に最初に所属せずにアクティブな強化された新規キャリアタイプ（ｅＮＣＴ）に接続する。１つの構成では、ユーザ装置（ＵＥ）中で確立されている接続は、アイドル状態である。
【０１０５】
[00116]１つの構成では、ＵＥ６５０は、接続するための手段を含むワイヤレス通信のために構成される。１つの態様では、接続手段は、接続手段によって列挙された機能を実行するように構成された、コントローラ／プロセッサ６５９、メモリ６６０、受信プロセッサ６６８、変調器６５４、アンテナ６５２であり得る。別の態様では、上述された手段は、上述された手段によって列挙された機能を実行するように構成された任意のモジュールまたは任意の装置でありうる。
【０１０６】
[00117]図１７は、処理システム１７１４を用いる装置１７００のためのハードウェア実装の例を示す図である。処理システム１７１４は、バス１７２４によって一般的に表されたバスアーキテクチャを用いて実装されうる。バス１７２４は、処理システム１７１４の特定の用途と全体的な設計の制約に依存して、任意の数の相互接続バスおよびブリッジを含むことができる。バス１７２４は、プロセッサ１７２２、モジュール１７０２、１７０４、１７０６、およびコンピュータ可読媒体１７２６によって表された、１つまたは複数のプロセッサおよび／またはハードウェアモジュールを含む様々な回路を相互にリンクさせる。バス１７２４はまた、タイミングソース、周辺機器、電圧レギュレータ、電力管理回路のような様々な他の回路とリンクすることができ、これらは、当該技術分野で周知であるので、これ以上説明されない。
【０１０７】
[00118]装置は、トランシーバ１７３０に結合された処理システム１７１４を含む。トランシーバ１７３０は、１つまたは複数のアンテナ１７２０に結合される。トランシーバ１７３０は、伝送媒体を介して様々な他の装置と通信を可能にする。処理システム１７１４は、コンピュータ可読媒体１７２６に結合されたプロセッサ１７２２を含む。プロセッサ１７２２は、コンピュータ可読媒体１７２６上に記憶されたソフトウェアの実行を含む、一般的な処理を担う。ソフトウェアは、プロセッサ１７２２によって実行される場合、任意の特定の装置のために説明される様々な機能を処理システム１７１４に実行させる。コンピュータ可読媒体１７２６はまた、ソフトウェアを実行する場合にプロセッサ１７２２によって操作されるデータを記憶するために使用されうる。
【０１０８】
[00119]処理システム１７１４は、物理ランダムアクセスチャネル信号を受信するための受信モジュール１７０２を含む。処理システム１７１４はさらに、受信した物理ランダムアクセスチャネルに少なくとも部分的に基づいて新規キャリアタイプのモードとレガシキャリアタイプのモードとの間で切り替えるための切り替えモジュール１７０４を含む。モジュールは、プロセッサ１７２２内において実行中のソフトウェアモジュール、コンピュータ可読媒体１７２６内に常駐／記憶されたソフトウェアモジュール、プロセッサ１７２２に結合された１つまたは複数のハードウェアモジュール、またはそれらのある組み合わせでありうる。処理システム１７１４は、ｅノードＢ６１０の構成要素であり得、メモリ６４６および／または制御器／プロセッサ６７５を含み得る。
【０１０９】
[00120]図１８は、キャリアタイプの間で切り替えるための方法１８００を説明する。ブロック１８０２では、ｅノードＢは、物理ランダムアクセスチャネル（ＰＲＡＣＨ）信号を受信する。ブロック１８０４では、ｅノードＢは、受信したＰＲＡＣＨ信号に少なくとも部分的に基づいて新規キャリアタイプのモードとレガシキャリアタイプのモードとの間で切り替える。
【０１１０】
[00121]１つの構成では、ＵＥ６１０は、受信するための手段を含むワイヤレス通信のために構成される。１つの態様では、受信手段は、受信手段によって列挙された機能を実行するように構成された、制御器／プロセッサ６７５、メモリ６４６、受信プロセッサ６７０、変調器６１８、アンテナ６２０でありうる。ｅノードＢ６１０は、切り替えるための手段を含むようにさらに構成されうる。この態様では、切り替え手段は、切り替え手段によって列挙される機能を実行するように構成された制御器／プロセッサ６７５およびメモリ６４６でありうる。別の態様において、上述された手段は、上述された手段によって列挙された機能を実行するように構成された任意のモジュールまたは任意の装置でありうる。
【０１１１】
[00122]当業者はさらに、本明細書における開示に関連して説明された様々な例示的な論理ブロック、モジュール、回路、およびステップは、電子的ハードウェア、コンピュータソフトウェア、あるいはそれらの組合せとして実施されうるということを理解するだろう。ハードウェアおよびソフトウェアの互換性を明確に例示するために、多様な例示的なコンポーネント、ブロック、モジュール、回路、およびステップが、一般にそれらの機能の観点から上記で説明されている。このような機能が、ハードウェアとして実装されるか、あるいはソフトウェアとして実装されるかは、特定のアプリケーションおよびシステム全体に課せられる設計制約に依存する。当業者は、各々の特定のアプリケーションに関して、多様な方法で説明された機能を実装することができるが、このような実装の決定は、本開示の範囲から逸脱していると解釈されるべきでない。
【０１１２】
[00123]本明細書の開示と関連して説明された様々な実例となる論理ブロック、モジュール、回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、あるいは、本明細書で説明された機能を実行するよう設計されたこれらの任意の組み合わせで実現または実行されうる。汎用プロセッサは、マイクロプロセッサでありうるが、代替において、このプロセッサは、任意の従来のプロセッサ、制御器、マイクロ制御器、またはステートマシンでありうる。プロセッサはまた、コンピューティングデバイスの組み合わせ、例えば、ＤＳＰと、１つのマイクロプロセッサ、複数のマイクロプロセッサ、ＤＳＰコアに連結した１つ以上のマイクロプロセッサ、または任意のそのような他の構成との組み合わせとして実現されうる。
【０１１３】
[00124]本明細書における開示に関連して説明された方法またはアルゴリズムのステップは、ハードウェアで直接的に、プロセッサによって実行されるソフトウェアモジュールで、または両者の組み合わせで、具現化されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、または、当技術分野において周知の記憶媒体のあらゆる他の形態に存在しうる。例示的な記憶媒体は、プロセッサが記憶媒体から情報を読み出し、記憶媒体に情報を書き込むように、プロセッサに結合される。あるいは、記憶媒体は、プロセッサに不可欠でありうる。プロセッサおよび記憶媒体はＡＳＩＣに存在しうる。ＡＳＩＣは、ユーザ端末内に存在しうる。代替として、プロセッサおよび記憶媒体は、ユーザ端末内のディスクリートコンポーネントとして存在しうる。
【０１１４】
[00125]１つまたは複数の典型的な設計では、説明される機能は、ハードウェア、ソフトウェア、ファームウェア、あるいはそれら任意の組み合わせで実装されうる。ソフトウェアで実装される場合には、機能は、コンピュータ可読媒体上で１つまたは複数の命令またはコードとして記憶または送信されうる。コンピュータ可読媒体は、１つの場所から別の場所へのコンピュータプログラムの転送を容易にする何らかの媒体を含むコンピュータ記憶媒体および通信媒体の双方を含む。記憶媒体は、汎用または専用コンピュータによってアクセスされることができるいずれの利用可能な媒体でありうる。例として、また限定されないが、コンピュータ可読媒体は、ＲＡＭ、ＲＯＭ、ＥＥＰＲＯＭ、ＣＤ−ＲＯＭあるいは他の光学ディスクストレージ、磁気ディスクストレージあるいは他の磁気ストレージデバイス、あるいは、命令あるいはデータストラクチャの形態において望まれるプログラムコード手段を保存あるいは搬送するために使用されることができる、また、汎用または専用コンピュータ、または、汎用または専用プロセッサによってアクセスされることができる、任意の他の媒体も備えることができる。また、任意の接続は、厳密にはコンピュータ可読媒体と呼ばれる。例えば、ソフトウェアがウェブサイト、サーバ、あるいは、同軸ケーブル、光ファイバーケーブル、ツイストペア、デジタル加入者ライン（ＤＳＬ）、あるいは赤外線、無線、およびマイクロ波のような無線技術を使用している他の遠隔ソース、から送信される場合には、同軸ケーブル、光ファイバーケーブル、ツイストペア、ＤＳＬ、あるいは赤外線、無線、およびマイクロ波のような無線技術は、送信媒体の定義に含まれている。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク、およびブルーレイディスクを含み、ここでディスク（disk）は、通常磁気的にデータを再生し、ディスク（disc）は、レーザーを用いて光学的にデータを再生する。上記の組み合わせもまた、コンピュータ可読媒体の範囲内に含まれるべきである。
【０１１５】
[00126]本開示の先の説明は、当業者が本開示を行なうまたは使用することを可能にするために提供される。本開示への様々な変更は、当業者にとって容易に明らかであろう、また、ここで定義される一般的な原理は、本開示の範囲または精神から逸脱することなく他の変更に適用されうる。よって、本開示は、本明細書において説明される実例および設計に限定されるように意図されたものではなく、本明細書において開示された原理および新規の特徴と矛盾しない最大範囲であると認められるべきである。
以下に、出願当初の特許請求の範囲に記載された発明を付記する。
［Ｃ１］
強化された新規キャリアタイプ（ｅＮＣＴ）のセルのためのワイヤレス通信の方法であって、
休止状態にいる間、低デューティサイクルでダウンリンク共通信号およびチャネルを送信することと、
アクティブ状態にいる間、高デューティサイクルでダウンリンク共通信号およびチャネルを送信することとを備える、方法。
［Ｃ２］
前記低いデューティサイクルで送信される前記共通信号およびチャネルは、同期信号、物理ブロードキャストチャネル（ＰＢＣＨ）、共通基準信号（ＣＲＳ）、セル検出信号（ＣＤＳ）、またはこれらの組み合わせのうちの１つまたは複数のものを備える、Ｃ１に記載の方法。
［Ｃ３］
少なくとも１つのセル検出信号は、固有セルＩＤ、アクセスパラメータ、またはこれらの組み合わせのうちの１つまたは複数のものを備える、Ｃ２に記載の方法。
［Ｃ４］
前記高デューティサイクルで送信される前記共通信号およびチャネルは、同期信号、物理ブロードキャストチャネル（ＰＢＣＨ）、共通基準信号（ＣＲＳ）、システム情報ブロック（ＳＩＢ）、データチャネル、またはこれらの組み合わせのうちの１つまたは複数のものを備える、Ｃ１に記載の方法。
［Ｃ５］
前記ＳＩＢは、共通信号／チャネル周期性、共通信号／チャネル帯域幅、送信アンテナパラメータ、またはこれらの組み合わせのうちの１つまたは複数のものを備える、Ｃ４に記載の方法。
［Ｃ６］
セルによるワイヤレス通信の方法であって、
トリガを受信することと、
前記受信したトリガに少なくとも部分的に基づいてアクティブ状態と休止状態との間でセルを切り替えることとを備える、方法。
［Ｃ７］
前記トリガは、ユーザ機器検出信号（ＵＤＳ）であり、前記ＵＤＳは、サウンディング基準信号（ＳＲＳ）または物理ランダムアクセスチャネル（ＰＲＡＣＨ）信号を備える、Ｃ６に記載の方法。
［Ｃ８］
前記ＰＲＡＣＨ信号は、物理ダウンリンク制御チャネル（ＰＤＣＣＨ）メッセージに応じて送信される、Ｃ７に記載の方法。
［Ｃ９］
前記ＵＥ検出信号は、ランダムに選択されるリソースブロックロケーションで物理アップリンク共有チャネル（ＰＵＳＣＨ）にマッピングされる、Ｃ８に記載の方法。
［Ｃ１０］
前記トリガは、サービングセルによって送信されたハンドオーバメッセージである、Ｃ６の方法。
［Ｃ１１］
受信した物理ランダムアクセスチャネル（ＰＲＡＣＨ）信号に少なくとも部分的に基づいて新規キャリアタイプのモードとレガシキャリアタイプのモードとの間で切り替えることをさらに備える、Ｃ６に記載の方法。
［Ｃ１２］
ブートストラップされたモードにおけるワイヤレス通信の方法であって、
システム情報を取得するために、レガシキャリアタイプ（ＬＣＴ）セルに接続することと、
前記取得したシステム情報に少なくとも部分的に基づいて休止状態の強化された新規キャリアタイプ（ｅＮＣＴ）のセルに遷移することとを備える、方法。
［Ｃ１３］
前記システム情報は、休止状態のｅＮＣＴのセルにおける共通チャネル周期性、タイミング、帯域幅、アンテナ情報、またはこれらの組み合わせのうちの１つまたは複数のものである、Ｃ１２に記載の方法。
［Ｃ１４］
スタンドアローンモードにおけるワイヤレス通信の方法であって、
レガシキャリアタイプに最初に所属せずにアクティブな強化された新規キャリアタイプ（ｅＮＣＴ）に接続することを備え、前記接続することは、ユーザ機器（ＵＥ）がアイドル状態であるときに確立される、方法。
［Ｃ１５］
ワイヤレス通信の方法であって、
物理ランダムアクセスチャネル（ＰＲＡＣＨ）信号を受信することと
前記受信したＰＲＡＣＨ信号に少なくとも部分的に基づいて新規キャリアタイプのモードとレガシキャリアタイプのモードとの間で切り替えることとを備える、方法。
［Ｃ１６］
前記ＰＲＡＣＨ信号は、物理ダウンリンク制御チャネルに応じて受信され、前記ＰＤＣＣＨトリガは、サービング基地局から送信される、Ｃ１５に記載の方法。
［Ｃ１７］
ワイヤレス通信のための装置であって、
メモリと
前記メモリに結合される少なくとも１つのプロセッサと
を備え、前記少なくとも１つのプロセッサは、
休止状態にいる間、低デューティサイクルでダウンリンク共通信号およびチャネルを送信することと、
アクティブ状態にいる間、高デューティサイクルでダウンリンク共通信号およびチャネルを送信することと
を行うように構成される、装置。
［Ｃ１８］
前記低デューティサイクルで送信される前記共通信号およびチャネルは、同期信号、物理ブロードキャストチャネル（ＰＢＣＨ）、共通基準信号（ＣＲＳ）、セル検出信号（ＣＤＳ）、またはこれらの組み合わせのうちの１つまたは複数のものを備える、Ｃ１７に記載の装置。
［Ｃ１９］
少なくとも１つのセル検出信号は、固有セルＩＤ、アクセスパラメータ、またはこれらの組み合わせのうちの１つまたは複数のものを備える、Ｃ１８に記載の装置。
［Ｃ２０］
前記高デューティサイクルで送信される前記共通信号およびチャネルは、同期信号、物理ブロードキャストチャネル（ＰＢＣＨ）、共通基準信号（ＣＲＳ）、システム情報ブロック（ＳＩＢ）、データチャネル、またはこれらの組み合わせのうちの１つまたは複数のものを備える、Ｃ１７に記載の装置。
［Ｃ２１］
前記ＳＩＢは、共通信号／チャネル周期性、共通信号／チャネル帯域幅、送信アンテナパラメータ、またはこれらの組み合わせのうちの１つまたは複数のものを備える、Ｃ２０に記載の装置。
［Ｃ２２］
ワイヤレス通信のための装置であって、
メモリと、
前記メモリに結合される少なくとも１つのプロセッサと
を備え、前記少なくとも１つのプロセッサは、
トリガを受信することと、
前記受信したトリガに少なくとも部分的に基づいてアクティブ状態と休止状態との間でセルを切り替えることとを行うように構成される、装置。
［Ｃ２３］
前記トリガは、ユーザ機器検出信号（ＵＤＳ）であり、前記ＵＤＳは、サウンディング基準信号（ＳＲＳ）または物理ランダムアクセスチャネル（ＰＲＡＣＨ）信号を備える、Ｃ２２に記載の装置。
［Ｃ２４］
前記ＰＲＡＣＨ信号は、物理ダウンリンク制御チャネル（ＰＤＣＣＨ）メッセージに応じて送信される、Ｃ２３に記載の装置。
［Ｃ２５］
前記ＵＥ検出信号は、ランダムに選択されるリソースブロックロケーションで物理アップリンク共有チャネル（ＰＵＳＣＨ）にマッピングされる、Ｃ２４に記載の装置。
［Ｃ２６］
前記トリガは、サービングセルによって送信されたハンドオーバメッセージである、Ｃ２２の装置。
［Ｃ２７］
前記少なくとも１つのプロセッサは、受信した物理ランダムアクセスチャネル（ＰＲＡＣＨ）信号に少なくとも部分的に基づいて新規キャリアタイプのモードとレガシキャリアタイプのモードとの間で切り替えることを行うようにさらに構成される、Ｃ２２に記載の装置。
［Ｃ２８］
ワイヤレス通信のための装置であって、
メモリと、
前記メモリに結合される少なくとも１つのプロセッサと
を備え、前記少なくとも１つのプロセッサは、
システム情報を取得するために、レガシキャリアタイプ（ＬＣＴ）セルに接続することと、
前記取得したシステム情報に少なくとも部分的に基づいて休止状態の強化された新規キャリアタイプ（ｅＮＣＴ）のセルに遷移することとを行うように構成される、装置。
［Ｃ２９］
前記システム情報は、休止状態のｅＮＣＴのセルにおける共通チャネル周期性、タイミング、帯域幅、アンテナ情報、またはこれらの組み合わせのうちの１つまたは複数のものである、Ｃ２８に記載の装置。
［Ｃ３０］
ワイヤレス通信のための装置であって、
メモリと、
前記メモリに結合される少なくとも１つのプロセッサと
を備え、前記少なくとも１つのプロセッサは、
ユーザ機器（ＵＥ）がアイドル状態にいるときに、レガシキャリアタイプに最初に所属せずにアクティブな強化された新規キャリアタイプ（ｅＮＣＴ）に接続することを備える、装置。
［Ｃ３１］
ワイヤレス通信のための装置であって、
メモリと、
前記メモリに結合される少なくとも１つのプロセッサと
を備え、前記少なくとも１つのプロセッサは、
物理ランダムアクセスチャネル（ＰＲＡＣＨ）信号を受信することと
前記受信したＰＲＡＣＨ信号に少なくとも部分的に基づいて新規キャリアタイプのモードとレガシキャリアタイプのモードとの間で切り替えることとを行うように構成される、装置。
［Ｃ３２］
前記ＰＲＡＣＨ信号は、物理ダウンリンク制御チャネルに応じて受信され、前記ＰＤＣＣＨトリガは、サービング基地局から送信される、Ｃ３１に記載の装置。
［Ｃ３３］
ワイヤレス通信のための装置であって、
休止状態にいる間、低デューティサイクルでダウンリンク共通信号およびチャネルを送信するための手段と、
アクティブ状態にいる間、高デューティサイクルでダウンリンク共通信号およびチャネルを送信するための手段とを備える、装置。
［Ｃ３４］
ワイヤレス通信のための装置であって、
トリガを受信するための手段と、
前記受信したトリガに少なくとも部分的に基づいてアクティブ状態と休止状態との間でセルを切り替えるための手段とを備える、装置。
［Ｃ３５］
ワイヤレス通信のための装置であって、
システム情報を取得するために、レガシキャリアタイプ（ＬＣＴ）セルに接続するための手段と、
前記取得したシステム情報に少なくとも部分的に基づいて休止状態の強化された新規キャリアタイプ（ｅＮＣＴ）のセルに遷移するための手段とを備える、装置。
［Ｃ３６］
ワイヤレス通信のための装置であって、
オフ状態からアイドル状態に遷移するための手段と、
ユーザ機器（ＵＥ）がアイドル状態にいるとき、レガシキャリアタイプ（ＬＣＴ）に最初に所属せずに、アクティブな強化された新規キャリアタイプ（ｅＮＣＴ）に接続するための手段とを備える、装置。
［Ｃ３７］
ワイヤレス通信のための装置であって、
物理ランダムアクセスチャネル（ＰＲＡＣＨ）信号を受信するための手段と、
前記受信したＰＲＡＣＨ信号に少なくとも部分的に基づいて新規キャリアタイプのモードとレガシキャリアタイプのモードとの間で切り替えるための手段とを備える、装置。
［Ｃ３８］
ワイヤレス通信のためのコンピュータプログラム製品であって、その上に記憶されたプログラムコードを有する非一時的コンピュータ可読媒体を備え、前記プログラムコードは、
休止状態にいる間、低デューティサイクルでダウンリンク共通信号およびチャネルを送信するプログラムコードと、
アクティブ状態にいる間、高デューティサイクルでダウンリンク共通信号およびチャネルを送信するプログラムコードとを備える、コンピュータプログラム製品。
［Ｃ３９］
ワイヤレス通信のためのコンピュータプログラムであって、
その上に記憶されたプログラムコードを有する非一時的コンピュータ可読媒体を備え、前記プログラムコードは、
トリガを受信するプログラムコードと、
前記受信したトリガに少なくとも部分的に基づいてアクティブ状態と休止状態との間でセルを切り替えるプログラムコードとを備える、コンピュータプログラム製品。
［Ｃ４０］
ワイヤレス通信のためのコンピュータプログラム製品であって、
その上に記憶されたプログラムコードを有する非一時的コンピュータ可読媒体を備え、前記プログラムコードは、
システム情報を取得するために、レガシキャリアタイプ（ＬＣＴ）セルに接続するプログラムコードと、
前記取得したシステム情報に少なくとも部分的に基づいて休止状態の強化された新規キャリアタイプ（ｅＮＣＴ）のセルに遷移するプログラムコードとを備えるコンピュータプログラム製品。
［Ｃ４１］
ワイヤレス通信のためのコンピュータプログラム製品であって、
その上に記憶されたプログラムコードを有する非一時的コンピュータ可読媒体を備え、前記プログラムコードは、
ユーザ機器（ＵＥ）がアイドル状態にいるとき、レガシキャリアタイプに最初に所属せずにアクティブな強化された新規キャリアタイプ（ｅＮＣＴ）に接続するプログラムコードを備え、コンピュータプログラム製品。
［Ｃ４２］
ワイヤレス通信のためのコンピュータプログラム製品であって、
その上に記憶されたプログラムコードを有する非一時的コンピュータ可読媒体を備え、前記プログラムコードは、
物理ランダムアクセスチャネル（ＰＲＡＣＨ）信号を受信することと
前記受信したＰＲＡＣＨ信号に少なくとも部分的に基づいて新規キャリアタイプモードとレガシキャリアタイプモードとの間で切り替えることとを備える、方法。
【図１】
0006363074.tif 000002
【図２】
0006363074.tif 000003
【図３】
0006363074.tif 000004
【図４】
0006363074.tif 000005
【図５】
0006363074.tif 000006
【図６】
0006363074.tif 000007
【図７】
0006363074.tif 000008
【図８Ａ】
0006363074.tif 000009
【図８Ｂ】
0006363074.tif 000010
【図９】
0006363074.tif 000011
【図１０】
0006363074.tif 000012
【図１１】
0006363074.tif 000013
【図１２】
0006363074.tif 000014
【図１３】
0006363074.tif 000015
【図１４】
0006363074.tif 000016
【図１５】
0006363074.tif 000017
【図１６】
0006363074.tif 000018
【図１７】
0006363074.tif 000019
【図１８】
0006363074.tif 000020